(57)【要約】【課題】高精細度パネル、高輝度パネルであっても誤放電による発光を抑制し、品質の高い画像を表示する。【解決手段】プラズマディスプレイパネルの駆動方法であって、走査電極に走査パルスを印加しデータ電極に書込みパルスを印加して放電セルで書込み放電を発生させる書込み期間と、所定の輝度重みに応じた数の維持パルスを表示電極対に印加して放電セルを発光させた後走査電極に緩やかに上昇する上り傾斜波形電圧を印加する維持期間とを有する複数のサブフィールドで１フィールド期間を構成し、輝度重みが単調増加するように複数のサブフィールドを配置するとともに、最後のサブフィールドにおいて放電セルで書込み放電を発生させるための時間を、それ以外のサブフィールドにおいて放電セルで書込み放電を発生させるための時間より短く設定した。【選択図】図５
2008268686.tif 000002
【特許請求の範囲】
【請求項１】
走査電極と維持電極とからなる表示電極対とデータ電極とを有する放電セルを複数備えたプラズマディスプレイパネルの駆動方法であって、
前記走査電極に走査パルスを印加し前記データ電極に書込みパルスを印加して前記放電セルで書込み放電を発生させる書込み期間と、所定の輝度重みに応じた数の維持パルスを前記表示電極対に印加して前記放電セルを発光させた後前記走査電極に緩やかに上昇する上り傾斜波形電圧を印加する維持期間と、を有する複数のサブフィールドで１フィールド期間を構成し、
前記輝度重みが単調増加するように前記複数のサブフィールドを配置するとともに、最後のサブフィールドにおいて前記放電セルで書込み放電を発生させるための時間を、それ以外のサブフィールドにおいて前記放電セルで書込み放電を発生させるための時間より短く設定したことを特徴とするプラズマディスプレイパネルの駆動方法。
【請求項２】
１．３０μｓｅｃ〜１．３５μｓｅｃの間の値に設定したしきい値に対して、
前記最後のサブフィールドにおいて前記放電セルで書込み放電を発生させるための時間は前記しきい値より短く、前記最後のサブフィールド以外のサブフィールドにおいて前記放電セルで書込み放電を発生させるための時間は前記しきい値より長いことを特徴とする請求項１に記載のプラズマディスプレイパネルの駆動方法。
【請求項３】
前記最後のサブフィールドにおいて前記放電セルで書込み放電を発生させるための時間は１．３０μｓｅｃより短く、前記最後のサブフィールド以外のサブフィールドにおいて前記放電セルで書込み放電を発生させるための時間は１．３５μｓｅｃより長いことを特徴とする請求項１に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
前面板は、１対の走査電極と維持電極とからなる表示電極対がガラス製の前面基板上に互いに平行に複数対形成され、それら表示電極対を覆うように誘電体層および保護層が形成されている。背面板は、ガラス製の背面基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。
【０００４】
そして、表示電極対とデータ電極とが立体交差するように前面板と背面板とが対向配置されて密封され、内部の放電空間には、キセノンを含む放電ガスが封入されている。ここで表示電極対とデータ電極との対向する部分に放電セルが形成される。このような構成のパネルにおいて、各放電セル内でガス放電により紫外線を発生させ、この紫外線で赤色、緑色および青色の各色に発光する蛍光体層を励起発光させてカラー表示を行っている。
【０００５】
パネルを駆動する方法としてはサブフィールド法、すなわち、１フィールド期間を複数のサブフィールドに分割した上で、発光させるサブフィールドの組み合わせによって階調表示を行う方法が一般的である。
【０００６】
各サブフィールドは、初期化期間、書込み期間および維持期間を有し、初期化期間では初期化放電を発生し、続く書込み動作に必要な壁電荷を各電極上に形成する。
【０００７】
書込み期間では、表示を行うべき放電セルにおいて書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００８】
しかしながら、近年の表示画面の大型化、高精細化が進むにつれて、放電すべきでない放電セルが誤放電によって発光し、表示画像上に輝点が発生して画像表示品質を低下させるという問題点が発生してきた。このような問題を解決する方法として、例えば特許文献１には、書込み期間の途中に維持放電を発生させるための維持パルスを挿入する方法が開示されている。
【特許文献１】特開２００７−４１２５０号公報
【発明の開示】
【発明が解決しようとする課題】
【０００９】
しかしながら、パネルの高精細化に伴って放電セルを微細化すると、あるいはパネルの輝度を高めるためにキセノン分圧を高めると、表示画面上に輝点が発生しやすくなるが、特に彩度の高い画像を表示している領域で発生する輝点に対しては、上記の駆動方法はあまり有効ではないという課題があった。
【００１０】
本発明はこれらの課題に鑑みてなされたものであり、高精細度パネル、高輝度パネルであっても誤放電による発光を抑制し、品質の高い画像を表示することができるパネルの駆動方法を提供することを目的とする。
【課題を解決するための手段】
【００１１】
本発明は、走査電極と維持電極とからなる表示電極対とデータ電極とを有する放電セルを複数備えたパネルの駆動方法であって、走査電極に走査パルスを印加しデータ電極に書込みパルスを印加して放電セルで書込み放電を発生させる書込み期間と、所定の輝度重みに応じた数の維持パルスを表示電極対に印加して放電セルを発光させた後走査電極に緩やかに上昇する上り傾斜波形電圧を印加する維持期間とを有する複数のサブフィールドで１フィールド期間を構成し、輝度重みが単調増加するように複数のサブフィールドを配置するとともに、最後のサブフィールドにおいて放電セルで書込み放電を発生させるための時間を、それ以外のサブフィールドにおいて放電セルで書込み放電を発生させるための時間より短く設定したことを特徴とする。この方法により、高精細度パネル、高輝度パネルであっても誤放電による発光を抑制し、品質の高い画像を表示することができるパネルの駆動方法を提供することができる。
【００１２】
また本発明のパネルの駆動方法は、１．３０μｓｅｃ〜１．３５μｓｅｃの間の値に設定したしきい値に対して、最後のサブフィールドにおいて放電セルで書込み放電を発生させるための時間はしきい値より短く、最後のサブフィールド以外のサブフィールドにおいて放電セルで書込み放電を発生させるための時間はしきい値より長いことが望ましい。
【００１３】
また本発明のパネルの駆動方法は、最後のサブフィールドにおいて前記放電セルで書込み放電を発生させるための時間が１．３０μｓｅｃより短く、最後のサブフィールド以外のサブフィールドにおいて放電セルで書込み放電を発生させるための時間が１．３５μｓｅｃより長いことが望ましい。
【発明の効果】
【００１４】
本発明によれば、高精細度パネル、高輝度パネルであっても誤放電による発光を抑制し、品質の高い画像を表示することができるパネルの駆動方法を提供することが可能となる。
【発明を実施するための最良の形態】
【００１５】
以下、本発明の実施の形態におけるパネルの駆動方法およびプラズマディスプレイ装置について、図面を用いて説明する。
【００１６】
（実施の形態）
図１は、本発明の実施の形態におけるパネル１０の構造を示す分解斜視図である。ガラス製の前面基板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１７】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１８】
なお、パネル１０の構造は上述したものに限られるわけではなく、例えばストライプ状の隔壁を備えたものであってもよい。
【００１９】
図２は、本発明の実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。なお、本実施の形態においては走査電極の数ｎは偶数であるものとして説明するが、本発明はこれに限定されるものではない。
【００２０】
図３は、本発明の実施の形態におけるプラズマディスプレイ装置１００の回路ブロック図である。プラズマディスプレイ装置１００は、パネル１０、画像信号処理回路４１、データ電極駆動回路４２、走査電極駆動回路４３、維持電極駆動回路４４、タイミング発生回路４５および各回路ブロックに必要な電源を供給する電源部（図示せず）を備えている。
【００２１】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する信号に変換し各データ電極Ｄ１〜Ｄｍを駆動する。
【００２２】
タイミング発生回路４５は水平同期信号、垂直同期信号にもとづき各回路の動作を制御する各種のタイミング信号を発生し、それぞれの回路へ供給する。走査電極駆動回路４３は、書込み期間において走査電極ＳＣ１〜ＳＣｎに印加する各種の電圧および走査パルスを発生するための走査パルス発生部５０を有し、タイミング信号にもとづいて各走査電極ＳＣ１〜ＳＣｎをそれぞれ駆動する。維持電極駆動回路４４はタイミング信号にもとづいて維持電極ＳＵ１〜ＳＵｎを駆動する。
【００２３】
次に、パネル１０を駆動するための駆動電圧波形とその動作について説明する。プラズマディスプレイ装置１００は、サブフィールド法によって階調表示を行う。それぞれのサブフィールドは初期化期間、書込み期間および維持期間を有する。
【００２４】
本実施の形態においては、１フィールドを１０のサブフィールド（第１ＳＦ、第２ＳＦ、・・・、第１０ＳＦ）に分割し、各サブフィールドはそれぞれ、例えば（１、２、３、６、１１、１８、３０、４４、６０、８０）の輝度重みを持つものとする。しかし、本発明は、輝度重みが広義の意味で単調増加するように配置されていれば、サブフィールド数や各サブフィールドの輝度重みが上記の値に限定されるものではない。
【００２５】
本実施の形態においては、走査電極ＳＣ１〜ＳＣｎを第１の走査電極群と第２の走査電極群とに分ける。そして、書込み期間を、第１の走査電極群に属する走査電極のそれぞれに走査パルスを順次印加する第１の書込み期間と、第２の走査電極群に属する走査電極のそれぞれに走査パルスを順次印加する第２の書込み期間とに分割して書込み動作を行う。そして本実施の形態においては、奇数番目の走査電極ＳＣ１、ＳＣ３、・・・、ＳＣｎ−１を第１の走査電極群、偶数番目の走査電極ＳＣ２、ＳＣ４、・・・、ＳＣｎを第２の走査電極群とし、第１の書込み期間（以下、「奇数期間」と略記する）には奇数番目の走査電極に走査パルスを順次印加し、第２の書込み期間（以下、「偶数期間」と略記する）には偶数番目の走査電極に走査パルスを順次印加する。
【００２６】
図４は、本発明の実施の形態におけるパネル１０の各電極に印加する駆動電圧波形を示す図であり、第１ＳＦおよび第２ＳＦにおける駆動電圧波形を示している。
【００２７】
第１ＳＦの初期化期間の前半部では、データ電極Ｄ１〜Ｄｍに書込みパルス電圧Ｖｗを印加し、維持電極ＳＵ１〜ＳＵｎに電圧０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。
【００２８】
初期化期間の後半部では、データ電極Ｄ１〜Ｄｍに電圧０（Ｖ）を印加し、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上の負の壁電圧および維持電極ＳＵ１〜ＳＵｎ上の正の壁電圧が弱められ、データ電極Ｄ１〜Ｄｍ上の正の壁電圧は書込み動作に適した値に調整される。
【００２９】
なお、１フィールドを構成するサブフィールドのうち、いくつかのサブフィールドでは初期化期間の前半部を省略してもよく、その場合には、直前のサブフィールドで維持放電を行った放電セルに対して選択的に初期化動作が行われる。図４には、第１ＳＦの初期化期間では前半部および後半部を有する初期化動作、第２ＳＦおよびそれ以降の初期化期間では後半部のみを有する初期化動作を行う駆動電圧波形を示した。
【００３０】
書込み期間では、上述したように、奇数期間と偶数期間との２つに分割して、奇数期間には奇数番目の走査電極ＳＣ１、ＳＣ３、・・・、ＳＣｎ−１に走査パルスを順次印加して書込み動作を行い、偶数期間には偶数番目の走査電極ＳＣ２、ＳＣ４、・・・、ＳＣｎに走査パルスを順次印加して書込み動作を行っている。
【００３１】
奇数期間では、維持電極ＳＵ１〜ＳＵｎに電圧Ｖｅ２を印加し、奇数番目の走査電極ＳＣ１、ＳＣ３、・・・、ＳＣｎ−１のそれぞれには第２の電圧Ｖｓ２を、偶数番目の走査電極ＳＣ２、ＳＣ４、・・・、ＳＣｎのそれぞれには第４の電圧Ｖｓ４を印加する。ここで、第４の電圧Ｖｓ４は第２の電圧Ｖｓ２より高い電圧である。
【００３２】
次に、１番目の走査電極ＳＣ１に負の走査パルスを印加するために走査パルス電圧Ｖａｄを印加する。そして、データ電極Ｄ１〜Ｄｍのうち１行目に発光させるべき放電セルのデータ電極Ｄｋ（ｋ＝１〜ｍ）に正の書込みパルス電圧Ｖｗを印加する。このとき本実施の形態においては、走査電極ＳＣ１に隣接する走査電極、すなわち２番目の走査電極ＳＣ２に第４の電圧Ｖｓ４より低い第３の電圧Ｖｓ３を印加する。これは隣接する走査電極ＳＣ１と走査電極ＳＣ２との間に過大な電圧差が印加されるのを防ぐためである。
【００３３】
すると書込みパルス電圧Ｖｗを印加した放電セルのデータ電極Ｄｋ上と走査電極ＳＣ１上との交差部の電圧差は、外部印加電圧の差（Ｖｗ−Ｖａｄ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルス電圧Ｖｗを印加しなかったデータ電極Ｄ１〜Ｄｍと走査電極ＳＣ１との交差部の電圧は放電開始電圧を超えないので、書込み放電は発生しない。
【００３４】
次に、３番目の走査電極ＳＣ３に走査パルス電圧Ｖａｄを印加するとともに、データ電極Ｄ１〜Ｄｍのうち３行目に発光させるべき放電セルのデータ電極Ｄｋに正の書込みパルス電圧Ｖｗを印加する。このとき走査電極ＳＣ３に隣接する２番目の走査電極ＳＣ２および４番目の走査電極ＳＣ４にも第３の電圧Ｖｓ３を印加する。するとその放電セルのデータ電極Ｄｋと走査電極ＳＣ３との間および維持電極ＳＵ３と走査電極ＳＣ３との間に書込み放電が起こり、各電極上に壁電圧を蓄積する書込み動作が行われる。
【００３５】
以下、奇数番目の走査電極ＳＣ５、ＳＣ７、・・・、ＳＣｎ−１についても同様に書込み動作を行う。そしてこのとき書込み動作を行う奇数番目の走査電極ＳＣｐ＋１（ｐ＝偶数、１＜ｐ＜ｎ）に隣接する偶数番目の走査電極ＳＣｐおよび走査電極ＳＣｐ＋２にも第３の電圧Ｖｓ３を印加する。
【００３６】
続く偶数期間では、奇数番目の走査電極ＳＣ１、ＳＣ３、・・・、ＳＣｎ−１に第２の電圧Ｖｓ２を印加したまま、偶数番目の走査電極ＳＣ２、ＳＣ４、・・・、ＳＣｎにも第２の電圧Ｖｓ２を印加する。
【００３７】
次に、２番目の走査電極ＳＣ２に負の走査パルスを印加するために走査パルス電圧Ｖａｄを印加するとともに、データ電極Ｄ１〜Ｄｍのうち２行目に発光させるべき放電セルのデータ電極Ｄｋに正の書込みパルス電圧Ｖｗを印加する。するとその放電セルのデータ電極Ｄｋと走査電極ＳＣ２との交差部の電圧差は放電開始電圧を超え、２行目に発光させるべき放電セルで書込み放電を起こして各電極上に壁電圧を蓄積する書込み動作が行われる。
【００３８】
次に、４番目の走査電極ＳＣ４に走査パルス電圧Ｖａｄを印加するとともに、４行目に発光させるべき放電セルのデータ電極Ｄｋに正の書込みパルス電圧Ｖｗを印加する。するとその放電セルで書込み放電が起きる。
【００３９】
以下同様に、偶数番目の走査電極ＳＣ６、ＳＣ８、・・・、ＳＣｎについても同様に走査パルス電圧Ｖａｄを印加して書込み動作を行う。
【００４０】
なお、偶数期間において、奇数番目の走査電極ＳＣ１、ＳＣ３、・・・、ＳＣｎ−１のそれぞれには第４の電圧Ｖｓ４を印加し、書込み動作を行う偶数番目の走査電極ＳＣｐに隣接する奇数番目の走査電極ＳＣｐ−１および走査電極ＳＣｐ＋１に第３の電圧Ｖｓ３を印加してもよい。
【００４１】
しかし本実施の形態のように駆動しても、電圧Ｖｓｃｎを超える電圧差を隣接する走査電極間に印加することはないので、絶縁破壊やマイグレーションを発生する恐れがない。また奇数期間において奇数番目の走査電極の書込み動作をすでに終えているため、偶数期間において奇数番目の走査電極の壁電荷がたとえ減少したとしても、画像表示品質を損なう恐れがない。
【００４２】
なお、本実施の形態においては、詳細は後述するが、放電セルで書込み放電を発生させるための時間、すなわち発光させるべき放電セルに走査パルス電圧Ｖａｄを印加するとともに書込みパルス電圧Ｖｗを印加する時間（以下、「書込み時間」と略記する）はサブフィールドにより異なり、最後のサブフィールドにおける書込み時間はそれ以外のサブフィールドにおける書込み時間よりも短く設定している。
【００４３】
続く維持期間では、まず走査電極ＳＣ１〜ＳＣｎに正の維持パルス電圧Ｖｍを印加するとともに維持電極ＳＵ１〜ＳＵｎに電圧０（Ｖ）を印加する。すると書込み放電を起こした放電セルでは、走査電極ＳＣｉ上と維持電極ＳＵｉ上との電圧差が維持パルス電圧Ｖｍに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４４】
続いて、走査電極ＳＣ１〜ＳＣｎには電圧０（Ｖ）を、維持電極ＳＵ１〜ＳＵｎには維持パルス電圧Ｖｍをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加し、表示電極対の電極間に電位差を与えることにより、書込み期間において書込み放電を起こした放電セルで維持放電が継続して行われる。
【００４５】
そして、維持期間の最後には、維持パルス電圧Ｖｍに等しいかそれ以上の電圧Ｖｒに向かって緩やかに上昇する傾斜波形電圧を走査電極ＳＣ１〜ＳＣｎに印加して、データ電極Ｄｋ上の正の壁電圧を残したまま、走査電極ＳＣｉ上および維持電極ＳＵｉ上の壁電圧を消去している。このときの傾斜波形電圧の勾配は、例えば１０（Ｖ／μｓｅｃ）である。こうして維持期間における維持動作が終了する。
【００４６】
このように本実施の形態においては、走査パルスを印加しない走査電極群には走査パルスを印加する走査電極群よりも高い電圧を印加して壁電圧の減少を防ぐとともに、走査パルスを印加する走査電極とそれに隣接する走査電極との電圧差を小さくしてスパークやショートを防いでいる。
【００４７】
次に、各サブフィールドの書込み期間における書込み時間について説明する。図５は、本発明の実施の形態におけるサブフィールド構成を示す図であり、各サブフィールドの輝度重み、および各サブフィールドの書込み時間を示している。このように、各サブフィールドの輝度重みは、後に配置したサブフィールドほど大きくなるように設定している。また各サブフィールドの書込み時間は、第１ＳＦ〜第９ＳＦまでは、１．４５μｓｅｃに設定し、１フィールド期間の最後に配置された第１０ＳＦの書込み時間は、それよりも短い１．２０μｓｅｃに設定している。このように、複数のサブフィールドの最後のサブフィールドにおける書込み時間を、それ以外のサブフィールドにおける書込み時間よりも短く設定することにより誤放電を抑制することができる。特に、彩度の高い画像を表示している領域で発生する誤放電を効果的に抑制することができる。
【００４８】
次に、このような駆動方法により誤放電を抑制できる理由について説明する。彩度の高い画像で輝点が発生する理由が完全に解明されたわけではないが、例えば次のように考えることができる。彩度の高い画像、例えば青色を表示している領域では、図６に示すように、青色の蛍光体が塗布された放電セルは各サブフィールドで書込み放電を行い、維持放電を発生する。一方、赤色および緑色の蛍光体が塗布された放電セルは全く書込み放電を行わないか、輝度重みの小さいサブフィールドでのみ書込み放電を行い、そのサブフィールドで維持放電を発生する。そしてその後、走査電極ＳＣ１〜ＳＣｎに、電圧Ｖｒに向かって緩やかに上昇する傾斜波形電圧が印加され、続くサブフィールドの初期化期間に電圧Ｖｉ４に向かって緩やかに下降する傾斜波形電圧が印加される。しかし、輝度重みの小さいサブフィールドでは維持放電の回数が少なく維持放電が十分安定しないため、その後の消去放電および初期化放電で、データ電極Ｄｋ上の領域に過剰な正の壁電圧が残る等、不正規な壁電荷が蓄積される。そしてその後の維持期間において青色の蛍光体が塗布された放電セルで維持放電が発生し、この維持放電によって発生した荷電粒子が赤色および緑色の蛍光体が塗布された放電セルに飛来し、さらに不正規な壁電荷が蓄積される。そして最後のサブフィールドの書込み期間において、不正規な壁電荷が限界を超えて蓄積した放電セルで誤書込みが発生して、維持期間で誤放電が発生すると考えることができる。
【００４９】
青色の蛍光体が塗布された放電セルでは、輝度重みの大きいサブフィールドでも維持放電を発生させるため、最後のサブフィールドの書込み期間では十分なプライミングが供給されており、書込み放電の放電遅れは小さいと考えられる。しかし最後のサブフィールドの書込み期間で誤書込みを発生する放電セルにはプライミングが不足しているので、書込み放電の放電遅れは大きい。本実施の形態においては、最後のサブフィールドの書込み時間をそれ以外のサブフィールドの書込み時間よりも短く設定しているため、放電遅れの大きい誤書込みのみを抑制することができる。
【００５０】
なお、最後のサブフィールドの１つ前のサブフィールドの書込み時間も短く設定すると、１つ前のサブフィールドで書込み放電に失敗した放電セルは、最後のサブフィールドでも書込み放電ができず、その結果、かえって画像表示品質を低下させるため望ましくない。
【００５１】
このように、最後のサブフィールドの書込み時間をそれ以外のサブフィールドの書込み時間よりも短く設定することにより、高精細度パネル、高輝度パネルであっても誤放電による発光を抑制し、品質の高い画像を表示することができる。最後のサブフィールドの書込み時間およびそれ以外のサブフィールドの書込み時間は、パネルの放電特性にもとづき最適に設定することが望ましい。しかし、本発明者らの検討の結果、誤書込みを防ぎつつ書込み放電すべき放電セルで書込み放電を発生させるためには、おおむね１．３０μｓｅｃ〜１．３５μｓｅｃを境にして、最後のサブフィールドの書込み時間はその境の値よりも短く、それ以外のサブフィールドの書込み時間はその境の値よりも長く設定することが望ましい。さらに望ましくは、最後のサブフィールドの書込み時間を１．３０μｓｅｃより短く、それ以外のサブフィールドの書込み時間を１．３５μｓｅｃより長く設定すればよい。
【００５２】
次に、走査パルス発生部５０の詳細な構成について説明する。なお本実施の形態においては、第２の電圧Ｖｓ２と走査パルス電圧Ｖａｄとの差が、第４の電圧Ｖｓ４と第３の電圧Ｖｓ３との差に等しいとして説明する。この電圧の差を以下、電圧Ｖｓｃｎと記す。すなわち、（Ｖｓ２−Ｖａｄ）＝（Ｖｓ４−Ｖｓ３）＝Ｖｓｃｎである。
【００５３】
図７は、本発明の実施の形態におけるプラズマディスプレイ装置１００の走査パルス発生部５０の構成を示す回路図である。図７にはパネル１０および維持電極駆動回路４４も示している。走査パルス発生部５０は、奇数番目の走査電極ＳＣ１、ＳＣ３、・・・、ＳＣｎ−１に印加する駆動電圧を出力する奇数パルス発生部５３と、偶数番目の走査電極ＳＣ２、ＳＣ４、・・・、ＳＣｎに印加する駆動電圧を出力する偶数パルス発生部５６とを備えている。なお、初期化期間および維持期間における駆動電圧波形を発生する回路は省略した。
【００５４】
奇数パルス発生部５３は、電圧Ｖｓｃｎのフローティング電源ＶＳＣＮ１と、フローティング電源ＶＳＣＮ１の低電圧側を走査パルス電圧Ｖａｄまたは第３の電圧Ｖｓ３に接続するスイッチ５４と、フローティング電源ＶＳＣＮ１の低電圧側の電圧または高圧側の電圧を奇数番目の走査電極ＳＣ１、ＳＣ３、・・・、ＳＣｎ−１のそれぞれに印加する出力部６０（１）、６０（３）、・・・、６０（ｎ−１）を備えている。出力部６０（１）は、フローティング電源ＶＳＣＮ１の高圧側の電圧を出力するスイッチング素子６１（１）と、フローティング電源ＶＳＣＮ１の低圧側の電圧を出力するスイッチング素子６２（１）とを有する。出力部６０（３）も同様にスイッチング素子６１（３）とスイッチング素子６２（３）とを有する。出力部６０（５）、６０（７）、・・・、６０（ｎ−１）についても同様である。
【００５５】
偶数パルス発生部５６は、電圧Ｖｓｃｎのフローティング電源ＶＳＣＮ２と、フローティング電源ＶＳＣＮ２の低電圧側を走査パルス電圧Ｖａｄまたは第３の電圧Ｖｓ３に接続するスイッチ５７と、フローティング電源ＶＳＣＮ２の低電圧側の電圧または高圧側の電圧を偶数番目の走査電極ＳＣ２、ＳＣ４、・・・、ＳＣｎのそれぞれに印加する出力部６０（２）、６０（４）、・・・、６０（ｎ）を備えている。出力部６０（２）は、フローティング電源ＶＳＣＮ２の高圧側の電圧を出力するスイッチング素子６１（２）と、フローティング電源ＶＳＣＮ２の低圧側の電圧を出力するスイッチング素子６２（２）とを有する。出力部６０（４）、６０（６）、・・・、６０（ｎ）についても同様である。
【００５６】
なお、フローティング電源ＶＳＣＮ１、フローティング電源ＶＳＣＮ２は、例えばＤＣ−ＤＣコンバータ等を用いて構成してもよいが、ダイオードとコンデンサを有するブートストラップ回路を用いて簡単に構成することができる。本実施の形態においては、フローティング電源ＶＳＣＮ１およびフローティング電源ＶＳＣＮ２の電圧はともに電圧Ｖｓｃｎであるので、第２の電圧Ｖｓ２は、Ｖｓ２＝（Ｖａｄ＋Ｖｓｃｎ）であり、第４の電圧Ｖｓ４は、Ｖｓ４＝（Ｖｓ３＋Ｖｓｃｎ）である。また、走査パルス電圧Ｖａｄ＝−１４０（Ｖ）、電圧Ｖｓｃｎ＝１５０（Ｖ）、第３の電圧Ｖｓ３＝０（Ｖ）である。しかしこれらの電圧は一例であり、パネルの特性等に合わせて最適な値に設定することが望ましい。
【００５７】
次に書込み期間における走査パルス発生部５０の動作の詳細について説明する。
【００５８】
図８は、本発明の実施の形態の書込み期間において走査電極ＳＣ１〜ＳＣｎに印加する駆動電圧波形を示す図である。
【００５９】
まず奇数期間の初めに、奇数パルス発生部５３のスイッチ５４を走査パルス電圧Ｖａｄに接続し、出力部６０（１）、６０（３）、・・・、６０（ｎ−１）のスイッチング素子６１（１）、６１（３）、・・・、６１（ｎ−１）をオン、スイッチング素子６２（１）、６２（３）、・・・、６２（ｎ−１）をオフにして、奇数番目の走査電極ＳＣ１、ＳＣ３、・・・、ＳＣｎ−１に第２の電圧（Ｖａｄ＋Ｖｓｃｎ）を印加する。また偶数パルス発生部５６のスイッチ５７を第３の電圧Ｖｓ３に接続し、出力部６０（２）、６０（４）、６０（６）、・・・、６０（ｎ）のスイッチング素子６１（２）、６１（４）、・・・、６１（ｎ）をオン、スイッチング素子６２（２）、６２（４）、・・・、６２（ｎ）をオフにして、偶数番目の走査電極ＳＣ２、ＳＣ４、・・・、ＳＣｎに第４の電圧（Ｖｓ３＋Ｖｓｃｎ）を印加する。
【００６０】
次に、出力部６０（１）のスイッチング素子６１（１）をオフ、スイッチング素子６２（１）をオンにして走査電極ＳＣ１に走査パルス電圧Ｖａｄを印加する。さらに、出力部６０（２）のスイッチング素子６１（２）をオフ、スイッチング素子６２（２）をオンにして、走査電極ＳＣ２に第３の電圧Ｖｓ３を印加する。このように駆動することにより、走査電極ＳＣ１に走査パルス電圧Ｖａｄを印加するとともに、走査電極ＳＣ１に隣接する走査電極ＳＣ２との電圧差を低い値（Ｖｓ３−Ｖａｄ）に保つことができる。
【００６１】
次に時間Ｔｗの後、出力部６０（３）のスイッチング素子６１（３）をオフ、スイッチング素子６２（３）をオンにして走査電極ＳＣ３に走査パルス電圧Ｖａｄを印加する。さらに、出力部６０（４）のスイッチング素子６１（４）をオフ、スイッチング素子６２（４）をオンにして、走査電極ＳＣ４に第３の電圧Ｖｓ３を印加する。そして出力部６０（１）のスイッチング素子６１（１）をオン、スイッチング素子６２（１）をオフに戻す。
【００６２】
このように駆動して、走査電極ＳＣ３に走査パルス電圧Ｖａｄを印加するとともに、走査電極ＳＣ３に隣接する走査電極ＳＣ２および走査電極ＳＣ４の電圧差を低く保っている。
【００６３】
次に走査電極ＳＣ３に走査パルス電圧Ｖａｄを印加してから時間Ｔｗの後、出力部６０（５）のスイッチング素子６１（５）をオフ、スイッチング素子６２（５）をオンにして走査電極ＳＣ５に走査パルス電圧Ｖａｄを印加する。さらに、出力部６０（６）のスイッチング素子６１（６）をオフ、スイッチング素子６２（６）をオンにして、走査電極ＳＣ６に第３の電圧Ｖｓ３を印加する。そしてさらに、出力部６０（３）のスイッチング素子６１（３）をオン、スイッチング素子６２（３）をオフに戻し、出力部６０（２）のスイッチング素子６１（２）をオン、スイッチング素子６２（２）をオフに戻す。このように駆動して、走査電極ＳＣ５に走査パルス電圧Ｖａｄを印加するとともに、それに隣接する走査電極ＳＣ４および走査電極ＳＣ６との電圧差を低く保つことができる。
【００６４】
以下同様に駆動して、奇数番目の走査電極ＳＣ７、ＳＣ９、・・・、ＳＣｎ−１にパルス幅Ｔｗの走査パルスを順次印加する。そして、このとき奇数番目の走査電極ＳＣｐ＋１に隣接する偶数番目の走査電極ＳＣｐおよび走査電極ＳＣｐ＋２に第３の電圧Ｖｓ３を印加する。
【００６５】
このように駆動して、走査電極ＳＣｐ＋１に走査パルス電圧Ｖａｄを印加するとともに、走査電極ＳＣｐ＋１に隣接する走査電極ＳＣｐおよび走査電極ＳＣｐ＋２の電圧差を低く保っている。
【００６６】
続く偶数期間では、奇数パルス発生部５３のスイッチ５４を走査パルス電圧Ｖａｄに接続したまま、出力部６０（１）、６０（３）、・・・、６０（ｎ−１）のスイッチング素子６１（１）、６１（３）、・・・、６１（ｎ−１）をオン、スイッチング素子６２（１）、６２（３）、・・・、６２（ｎ−１）をオフにして、奇数番目の走査電極ＳＣ１、ＳＣ３、・・・、ＳＣｎ−１に第２の電圧（Ｖａｄ＋Ｖｓｃｎ）を印加する。そして、偶数パルス発生部５６のスイッチ５７も走査パルス電圧Ｖａｄに接続し、出力部６０（２）、６０（４）、・・・、６０（ｎ）のスイッチング素子６１（２）、６１（４）、・・・、６１（ｎ）をオン、スイッチング素子６２（２）、６２（４）、・・・、６２（ｎ）をオフにして、偶数番目の走査電極ＳＣ２、ＳＣ４、・・・、ＳＣｎに第２の電圧（Ｖａｄ＋Ｖｓｃｎ）を印加する。
【００６７】
次に、出力部６０（２）のスイッチング素子６１（２）をオフ、スイッチング素子６２（２）をオンにして走査電極ＳＣ２に走査パルス電圧Ｖａｄを印加する。次に時間Ｔｗの後、出力部６０（４）のスイッチング素子６１（４）をオフ、スイッチング素子６２（４）をオンにして走査電極ＳＣ４に走査パルス電圧Ｖａｄを印加する。そして出力部６０（２）のスイッチング素子６１（２）をオン、スイッチング素子６２（２）をオフに戻す。
【００６８】
以下同様に駆動して、偶数番目の走査電極ＳＣ６、ＳＣ８、・・・、ＳＣｎにパルス幅Ｔｗの走査パルス電圧Ｖａｄを順次印加する。
【００６９】
なお本実施の形態における駆動条件は、時間Ｔｗは書込み時間に等しく、最後のサブフィールドである第１０ＳＦでは時間Ｔｗ＝１．２０μｓｅｃであり、それ以外の第１ＳＦ〜第９ＳＦでは時間Ｔｗ＝１．４５μｓｅｃに設定している。
【００７０】
なお、本実施の形態においては、第１の書込み期間においてのみ、走査パルスを印加する走査電極群に属する走査電極には、走査パルス電圧よりも高い第２の電圧Ｖｓ２から走査パルス電圧Ｖａｄに遷移し再び第２の電圧Ｖｓ２に遷移する走査パルスを順次印加し、走査パルスを印加しない走査電極群に属する走査電極には、走査パルス電圧Ｖａｄより高い第３の電圧Ｖｓ３と、第２の電圧Ｖｓ２および第３の電圧Ｖｓ３より高い第４の電圧Ｖｓ４とのいずれかの電圧を印加し、少なくとも隣接する走査電極に走査パルス電圧Ｖａｄが印加されている間は第３の電圧Ｖｓ３を印加するものとして説明した。しかし本実施の形態はこれに限定されるものではない。第１の書込み期間および第２の書込み期間の両方において、走査パルスを印加する走査電極群に属する走査電極には、走査パルス電圧よりも高い第２の電圧Ｖｓ２から走査パルス電圧Ｖａｄに遷移し再び第２の電圧Ｖｓ２に遷移する走査パルスを順次印加し、走査パルスを印加しない走査電極群に属する走査電極には、走査パルス電圧Ｖａｄより高い第３の電圧Ｖｓ３と、第２の電圧Ｖｓ２および第３の電圧Ｖｓ３より高い第４の電圧Ｖｓ４とのいずれかの電圧を印加し、少なくとも隣接する走査電極に走査パルス電圧Ｖａｄが印加されている間は第３の電圧Ｖｓ３を印加してもよい。
【００７１】
また本実施の形態においては、走査パルスを印加しない走査電極群に属する走査電極には、隣接する走査電極に走査パルス電圧Ｖａｄが印加されている間のみに第３の電圧Ｖｓ３を印加しそれ以外では第４の電圧Ｖｓ４を印加する例について説明したが、本発明はこれに限定されるものではない。例えば、走査パルスを印加しない走査電極群に属する走査電極には、隣接する走査電極に走査パルス電圧Ｖａｄが印加されている間を含む所定の期間に第３の電圧Ｖｓ３を印加しそれ以外の期間では第４の電圧Ｖｓ４を印加してもよい。
【００７２】
また本実施の形態においては、奇数番目の走査電極が第１の走査電極群に属し偶数番目の走査電極が第２の走査電極群に属するものとして説明したが、奇数番目の走査電極が第２の走査電極群に属し偶数番目の走査電極が第１の走査電極群に属するものとしてもよい。また、例えばフィールド毎に第１の走査電極群と第２の走査電極群とを入れ替える構成であってもよい。
【００７３】
さらに本発明は、サブフィールド数や各サブフィールドの輝度重み、パルス幅の時間が特定の値に限定されるものではない。また上述した本実施の形態において用いた具体的な数値等は、単に一例を挙げたに過ぎず、パネルの特性やプラズマディスプレイ装置の仕様等に合わせて、適宜最適な値に設定することが望ましい。
【産業上の利用可能性】
【００７４】
本発明は、高精細度パネル、高輝度パネルであっても誤放電による発光を抑制し、品質の高い画像を表示することができるので、パネルの駆動方法として有用である。
【図面の簡単な説明】
【００７５】
【図１】本発明の実施の形態におけるパネルの構造を示す分解斜視図
【図２】本発明の実施の形態におけるパネルの電極配列図
【図３】本発明の実施の形態におけるプラズマディスプレイ装置の回路ブロック図
【図４】本発明の実施の形態におけるパネルの各電極に印加する駆動電圧波形を示す図
【図５】本発明の実施の形態におけるサブフィールド構成を示す図
【図６】彩度の高い画像で輝点が発生する理由を説明する図
【図７】本発明の実施の形態における走査パルス発生部の構成を示す回路図
【図８】本発明の実施の形態の書込み期間において走査電極に印加する駆動電圧波形を示す図
【符号の説明】
【００７６】
１０    パネル
２２    走査電極
２３    維持電極
２４    表示電極対
３２    データ電極
４１    画像信号処理回路
４２    データ電極駆動回路
４３    走査電極駆動回路
４４    維持電極駆動回路
４５    タイミング発生回路
５０    走査パルス発生部
５３    奇数パルス発生部
５４，５７    スイッチ
５６    偶数パルス発生部
６０（１）〜６０（ｎ）    出力部
６１（１）〜６１（ｎ），６２（１）〜６２（ｎ）    スイッチング素子
１００    プラズマディスプレイ装置
【図１】
2008268686.tif 000003
【図２】
2008268686.tif 000004
【図３】
2008268686.tif 000005
【図４】
2008268686.tif 000006
【図５】
2008268686.tif 000007
【図６】
2008268686.tif 000008
【図７】
2008268686.tif 000009
【図８】
2008268686.tif 000010